(57)【要約】      （修正有）【課題】使用者が１つの座具で３種類の高さと座面の広さのセットが選択出来る直方体状の座具を提供する。【解決手段】異なった大きさの２枚の長方形の布Ａ、Ｂの、１枚の長方形の布Ａの長辺の中央部ｘともう１枚の長方形の布Ｂの短辺の中央部ｙを合わせて縫い合わせ、次に隣接する辺を各々縫製し相対しない３面の大きさが異なる直方体状の側を仕上げる。縫い合わせ箇所や布の任意の部分に一箇所詰め物を投入する口を設け、この口からプラスチックのカットパイプや発砲ビーズ等の詰め物を詰め、口を閉じると相対しない３面の大きさが違うと共に、相対しない３面を各々底部にした際の高さが異なる直方体状の六面体が出来、使用者は１つの座具で自分にフィットする３種類の高さと座面の広さのセットが選択出来る。また２枚の布も自由に選択でき、未使用時は収納せずインテリアとしても使える。【選択図】図１
0003206899.tif 000002
【実用新案登録請求の範囲】
【請求項１】
異なった大きさの２枚の長方形の布で、相対しない３面の大きさが異なるとともに、この相対しない３面を各々底部にした際の高さが異なる様に縫製した直方体状の側（がわ）に、詰め物としてストローを短くカットした様なプラスチックのカットパイプや発砲ビーズ、綿（わた）等の詰め物を詰めた直方体状の座具。
【請求項２】
異なった大きさの２枚の長方形の布で、相対しない３面の大きさが異なるとともに、この相対しない３面を各々底部にした際の高さが異なる様に縫製した直方体状の側（がわ）の任意の場所に、ファスナー等で開閉自由な詰め物の出し入れ口を設け、詰め物としてストローを短くカットした様なプラスチックのカットパイプや発砲ビーズ、綿（わた）等の詰め物を詰めた直方体状の座具。
【請求項３】
異なった大きさの２枚の長方形の布を直方体状に縫製し、中にストローを短くカットした様なプラスチックのカットパイプや発砲ビーズ、綿（わた）等を詰めた請求項１及び請求項２の座具の任意の場所に、任意の形の持ち手を付けた座具。
【考案の詳細な説明】
【技術分野】
【０００１】  異なった大きさの２枚の長方形の布の、１枚の長方形の布の長辺の中央点ともう１枚の長方形の布の短辺の中央点を合わせて縫製して仕上げた相対しない３面の大きさが異なるとともに、この相対しない３面を各々底部にした際の高さが異なる直方体状の側（がわ）に、プラスチックのカットパイプや発砲ビーズ、綿（わた）等の詰め物を詰めた、相対しない３面の大きさが異なるとともに、この相対しない３面を各々底部にした際の高さが異なる直方体状の座具に関するものである。なおこの物品は枕としても使用できる。
【背景技術】
【０００２】  我々日本人が床に座る時に正座椅子の様な座具を使う事が随分多くなった。しかし床に座る人が楽に座る為の座具の高さや座面の大きさは、人によってまちまちである。１つの座具で多くの人が楽に座ることは難しいと認識しながらも様々なサイズの座具を揃える事も非現実的である為、座具が体にフィットしてなくても、「無いよりマシだ」として我慢して座るのが現状である。
【先行技術文献】
【特許文献】
【非特許文献】
【考案の概要】
【考案が解決しようとする課題】
【０００３】  日本人の生活様式が変わり床に座る生活はかなり減ったものの、我々日本人にとって床座は生活と切り離せないものである。しかし、床に座る機会の減少と椅子に座る機会の増加は、床に上手く座る座り方の習得の機会の喪失のみならず、日本人の体形の変化や高齢化による身体の変化も相まって、床に座る時には座具が欠かせない状況が急増している。お茶やお花の稽古でも正座椅子がよく使われたり、床座の居酒屋では５〜８ｃｍ程度の厚さのウレタン座布団が使われているのもその一例である。一方、座る人間側はと言うと、１人１人身長も違えば体重も違う為、楽に座る為の座具の高さや座面の大きさも本来一人一人好みが違うものである。しかし椅子にしろその他の座具にしろ、別注品を除き一人一人の好みに合う高さや座面の大きさの商品を作ることは不可能な為、標準サイズを定番化しているのが現実である。椅子やソファー等に関しては、テーブル等の他の家具との調和やデザイン性なども有り定番サイズの存在は十分理解できるが、畳やフローリング等の床に座る時に使う正座椅子等の座具に関しては、他の家具との調和やデザイン性等も椅子やソファーほど重要視されるもので無い為、１つの座具で複数の高さや座面の大きさを備えた座具を考案し、前述の問題を解決しようとするものである。【０００４】  尚、床に座る時に使う座具は、デザイン性は重要視されるものではないと上述したが、これはあくまで椅子やソファー等のデザイン性が高く評価される物との対比においてであり、勿論、床座用の座具にもデザイン性やファッション性は必要で、考案が解決しようとする課題にも反映すべき要素と考える。
【課題を解決するための手段】
【０００５】  この考案は、異なった大きさの２枚の長方形の布で、相対しない３面の大きさが異なるとともに、この相対しない３面を各々底部にした際の高さが異なる直方体状の側を縫製し、その中にプラスチックのカットパイプ等の詰め物を詰めた、相対しない３面の大きさが異なるとともに、この相対しない３面を各々底部にした際の高さが異なる直方体状の座具を作るもので、１つの座具で３つのサイズ機能を備えた座具を提供する事が出来、使用者によりフィットした座具の選択値を増やす事が可能となり、問題を解決している。【０００６】  また、２枚の長方形の布を縫製して直方体を作る工夫は、デザイン的にも優れていると共に２枚の布の素材や色を選択出来る事はファッション性にも極めて優れている。
【考案の効果】
【０００７】  高度経済成長期以降の我々日本人のライフスタイルは、椅子生活を主体とする欧米型のライフスタイルに変った。また日本人自身も、床座に馴染みの少ない若年者はもとより、床座に馴染んでいた中高年者さえも身体的に床座が困難になる等の理由で床座を好まなくなってきた。しかしながら実生活では、ソファーが有ってもソファーを背もたれに床に座るスタイルや、お茶やお花の稽古、料亭や居酒屋等まだまだ床座は我々の生活と切り離せないライフスタイルである。一方、床座をする側の我々はと言うと、上記通り上手に床に座る座り方を知らなかったり、体形的、身体的に床に座りにくくなっているなどで、床に座る時には座具が欠かせなくなっている。お茶やお花の稽古では正座椅子が必需品となったり、料亭では畳の上にローテーブルとローチェアーが設置されたり、居酒屋には分厚いウレタン座布団有る等床に座る座具の有る場面は至る所で見かけるが、高さや座面の大きさ等の違った座具を２種類以上備えている所は先ず無く、本来なら体にある程度フィットした座具に座ると、より楽に姿勢良く座れるものが、無いよりマシと我慢して座らざる得なくなっている。本考案は直方体の相対しない３面の大きさが異なると共に、この相対しない３面を各々底部にした時の高さが異なる様に作られているので、使用者は自分に比較的フィットした高さと座面の大きさのセットを３種類から選択出来る。また容易に他の２種類の高さと座面の大きさのセットに変更する事も出来、長時間座る時など楽な姿勢への変更などにも役立つ。【０００８】  本考案の直方体状の側の任意の場所に、ファスナー等で開閉自由な詰め物の出し入れ口を設けると、へたった時の詰め物の補充が出来たり、詰め物を取り出して側の洗濯が出来るなど更に便利である。【０００９】  更に本考案は、２枚の長方形の布を縫製して六面体である直方体を作ると言う優れたデザイン性を有すると共に、使用する２枚の布の素材や色を自由に選択出来ると言うファッション性にも極めて優れた製造工程が採られている事より、上質なインテリアとしても役立つ。
【図面の簡単な説明】
【００１０】
【図１】本考案の異なった大きさの２枚の長方形の布の、１枚の長方形の布の長辺の中央点ともう１枚の長方形の布の短辺の中央点を合わせて縫い合わせ、次に隣接する辺を各々縫製して仕上げる相対しない３面の大きさが異なるとともに、この相対しない３面を各々底部にした際の高さが異なる直方体状の座具の側の展開図である。
【図２】本考案の直方体状の座具の側の任意の場所に詰め物を投入する口を一箇所開けた状態の斜視図である。
【図３】本考案の直方体状の座具の側の任意の場所にファスナーで開閉自由な詰め物の出し入れ口を設けた斜視図である。
【図４】本考案の直方体状の座具の任意の場所に任意の形の持ち手を付けた斜視図である。
【図５】本考案のカットパイプの斜視図である。
【写真の簡単な説明】
【００１１】
【写真１】
本考案の直方体状の座具の斜視写真である。
【写真２】
本考案のカットパイプの集合斜視写真である。
【考案を実施するための形態】
【００１２】  異なった大きさの２枚の長方形の布の、１枚の長方形の布の長辺の中央点ともう１枚の長方形の布の短辺の中央点を合わせて縫い合わせ、次に隣接する辺を各々縫製し相対しない３面の大きさが異なるとともに、この相対しない３面を各々底部にした際の高さが異なる直方体状の側を仕上げる。縫い合わせ箇所や布の任意の部分に一箇所詰め物を投入する口を設け、この口からプラスチックのカットパイプ等の詰め物を詰め、口を閉じると相対しない３面の大きさが異なるとともに、この相対しない３面を各々底部にした際の高さが異なる直方体状の六面体が出来る。
【実施例】
【００１３】  以下、添付図面及び写真に従って一実施例を説明する。
ＡとＢは大きさの違う長方形の布である。
ｘはＡの長辺の中央点、ｙはＢの短辺の中央点である。
ａ１，ａ２，ｃ１，ｃ２はＡの長辺からＢの短辺を引いた長さの半分の長さである。
ｂ１とｂ２はＡの短辺の長さである。
ｄ１はＢの短辺の長さである。
１は直方体状の座具の側である。
２は直方体状の座具の側に詰め物を投入する為に一箇所開けられた投入口である。
３は直方体状の座具の側に設けられた詰め物の出し入れ口のファスナーである。
４は直方体状の座具に設けられた持ち手である。
５は詰め物のカットパイプである【００１４】  本考案の一実施例は、図２の直方体状の座具の側１の投入口２からカットパイプ３を側が一杯になるまで投入後、投入口を閉じるものであるから、相対しない３面の大きさが異なり、この３面を各々底部にした際の高さが異なる写真１の直方体状の座具である。【００１５】  図３は直方体状の座具の側の任意の場所にファスナーで開閉自由な詰め物の出し入れ口を設けた実施例、図４は任意の場所に任意な形の持ち手を設けた実施例で、より便利な直方体状の座具である。
【産業上の利用可能性】
【００１６】  本考案は、お茶やお花、習字などの床座を基本とする習い事やヨガなどの趣味の業界、居酒屋など床座で展開する飲食産業など床に座る様々な産業で利用可能である。
【符号の説明】
【００１７】Ａ                      長方形の布
Ｂ                      Ａと大きさが違う長方形の布
ｘ                      Ａの長辺の中央点
ｙ                      Ｂの短辺の中央点
ａ１，ａ２，ｃ１，ｃ２  Ａの長辺からＢの短辺を引いた長さの半分の長さ
ｂ１，ｂ２              Ａの短辺の長さ
ｄ１                    Ｂの短辺の長さ
１                      直方体状の座具の側
２                      詰め物を投入する投入口
３                      ファスナー
４                      持ち手
５                      詰め物のカットパイプ
【図１】
0003206899.tif 000003
【図２】
0003206899.tif 000004
【図３】
0003206899.tif 000005
【図４】
0003206899.tif 000006
【図５】
0003206899.tif 000007